(57)【要約】      （修正有）【課題】軽量、小型で安定性が高く座り心地も良い携帯用組み立て座椅子を提供する。【解決手段】同じ大きさの小型の長方形板３枚を使い、そのうち２枚を切断加工して井桁状に組み立てて脚部３、４とし、残りの一枚を加工し、座板２として井桁と組み合わせることにより、軽量小型で脱着可能、及び堅固な携帯用組み立て座椅子１とした。同じ大きさの長方形板３枚を使うことを基本としているが、井桁に組む脚部の板の大きさを変えることにより、高さを調整することも可能である。【選択図】図１
0003180730.tif 000002
【実用新案登録請求の範囲】
【請求項１】
長方形の向かい合う短辺間に該短辺とそれぞれ略等間隔で且つ平行に２つの脚部突起（３
−１）の嵌め込み穴（２−１）を有する長方形の座板（２）と前記嵌め込み穴（２−１）
に嵌めこまれる脚部突起（３−１）を一端部に備えた２枚の短脚部板（３）と、更に該短
脚部板（３）と直交する２枚の長脚部板（４）を有すると共に、前記短脚部板（３）と長
脚部板（４）は立てて井桁に組むための各切り込み（３−３、４−１）を前記４枚の各脚
部板（３、３、４、４）の交点に設けたことを特徴とする組み立て座椅子。
【請求項２】
前記座板（２）の四隅に丸み（２−２）を設けたことを特徴とする請求事項１記載の組み
立て座椅子。
【請求項３】
井桁に組むための切り込み（３−３、４−１）は短脚部板（３）と長脚部板（４）の４枚
の上端が座板下面に接する座板受け（３−２、４−２）であることを特徴とする請求項１
または２の何れかに記載の組み立て座椅子。
【考案の詳細な説明】
【技術分野】
【０００１】
携帯用組み立て座椅子に関する。
【背景技術】
【０００２】
従来両脚部材は座部材に対して取り外し可能となっている座椅子が知られている（特許文献１参照）。
【先行技術文献】
【特許文献】
【０００３】
【特許文献１】実開昭６２−１４８１５２号公報
【考案の概要】
【考案が解決しようとする課題】
【０００４】
従来の座椅子及び正座用椅子は、形も大きく重量も重く携帯に不便で、組み立て座椅子も座り心地が悪く不安定な構造であった。本考案は、軽量、小型で安定性の高い携帯用組み立て座椅子により、これらの欠点を解決することを目的とする。
【課題を解決するための手段】
【０００５】
本考案は、請求項１として、長方形の向かい合う短辺間に該短辺とそれぞれ略等間隔で且つ平行に２つの脚部突起（３−１）の嵌め込み穴（２−１）を有する長方形の座板（２）と前記嵌め込み穴（２−１）に嵌め込まれる脚部突起（３−１）を一端部に備えた２枚の短脚部板（３）と、更に該短脚部板（３）と直交する２枚の長脚部板（４）を有すると共に、前記短脚部板（３）と長脚部板（４）は立てて井桁に組むための各切り込み（３−３、４−１）を前記４枚の各脚部板（３、３、４、４）の交点に設けたことを特徴とする組み立て座椅子である。
又、請求項２として、前記座板（２）の四隅に丸み（２−２）を設けたことを特徴とする請求項１記載の組み立て座椅子である。
更に、請求項３として、井桁に組むための切り込み（３−３、４−１）は短脚部板（３）と長脚部板（４）の４枚の上端が座板下面に接する座板受け（３−２、４−２）であることを特徴とする請求項１または２の何れかに記載する組み立て座椅子である。
【０００６】
本考案は、同じ大きさの小型の長方形板３枚を使い、そのうち２枚を切断加工して井桁状に組み立てて脚部とし、残りの１枚を加工し、座板として井桁と組み合わせることにより、軽量小型で脱着可能、及び堅固な携帯用組み立て座椅子とした。
また、本考案は同じ大きさの長方形板３枚を使うことを基本としているが、井桁に組む脚部の板の大きさを変えることにより、高さを調整することも可能な軽量、小型で安定性の高い携帯用組み立て座椅子である。
【考案の効果】
【０００７】
腰痛や膝に痛みがあり、床面に胡坐をかいたり正座をすることが困難なため、座敷での会合や会食が苦痛となっていたが、本考案の携帯用組み立て座椅子を用いることにより、外出や旅行を手控える人の悩みを解決した。
【図面の簡単な説明】
【０００８】
【図１】本考案の組み立て後の斜視図を示す。
【図２】座板の平面図を示す。
【図３】短脚部板の平面図を示す。
【図４】長脚部板の平面図を示す。
【図５】脚部を組み立て斜め上から見た斜視図を示す。
【図６】各部材を分解し積み上げた斜視図を示す。
【図７】使用例であり、胡坐をかいた背面からのイメージ図を示す。
【図８】使用例であり、正座をした背面からのイメージ図を示す。
【考案を実施するための形態】
【０００９】
本考案の実施例を図面に基づいて説明する。
【実施例】
【００１０】
図１は本考案の斜視図を示す。
本考案の組み立て座椅子（１）は、短脚部板（３）と長脚部板（４）のそれぞれに設け
られた切込み（３−３、４−１）を相互に嵌めて組み合わせ井桁に組み、座板（２）の嵌め込み穴（２−１）の部分に短脚部板（３）の短脚部突起（３−１）を嵌め込み、組み立て座椅子を完成する。
【００１１】
図２は座板の平面図を示す。
短脚部板（３）と組み合わせるため、短辺部の内側に平行に２つの嵌め込み穴（２−１）をあける。
嵌め込み穴（２−１）の位置は短辺部の外側から５センチメートル内寄りの位置で、長さは長辺部の外側から左右同じ長さ５センチメートルの内寄りの部分とする。また、幅は板
の厚さと同じとする。
嵌め込み穴（２−１）は、短脚部板（３）の突起（３−１）と組み合わせるため、脱着が
容易で、しかもガタがこないように縦横１ミリメートル以内で幅を広げすき間をもたせる。
四隅は丸み（２−２）を持たせるために切り落とし、丸み（２−２）を持たせ角張った部
分をなくすことで、人体への安全性を考慮した。
角張った部分は、隅切りを行い、安全性を高めた。
【００１２】
図３は短脚部板の平面図を示す。
図２の座板（２）と同じ大きさの長方形板を長辺部の中央で二等分し、２枚の短脚部板
をつくる。
短脚部突起（３−１）は座板（２）の嵌め込み穴（２−１）と組み合わせる部分であり、
凸型とするため嵌め込み穴（２−１）と同じ長さで、二等分した長辺部の外側から左右５
センチメートルの長さと、板の厚さ分を切り落とした残りの部分とした。
座板受け（３−２）は長脚部板（４）と組み合わせ、座板を支える部分である。
切り込み（３−３）は長脚部板（４）の凹部である切込み（４−１）と組み合わせ井桁を
つくる部分で、深さ５センチメートルで幅は板の厚さ分とする。
切り込み（３−３）は長脚部板（４）と組み合わせるため、脱着が容易で、しかもガタが
こないように切り込み（３−３）は１ミリメートル以内で幅を広げすき間をもたせる。
角張った部分は、隅切りを行い、安全性を高めた。
【００１３】
図４は長脚部板の平面図を示す。
座板（２）と同じ大きさの長方形板を短辺部の中央で二等分し、２枚の長脚部板をつく
る。
切り込み（４−１）は短脚部板（３）の凹部である切込み（３−３）と組み合わせて井桁
を形成する部分である。
切り込み（４−１）は短脚部板（３）と組み合わせるため、脱着が容易で、しかもガタが
こないように切込み幅を１ミリメートル以内で幅を広げすき間をもたせる。
座板受け（４−２）は座板を支える部分である。
角張った部分は、隅切りを行い、安全性を高めた。
【００１４】
図５は脚部を組み立て斜め上から見た斜視図を示す。
短脚部板（３）と長脚部板（４）を組み合わせた斜視図である。
短脚部突起（３−１）は座板（２）の２−１に嵌め込む部分である。
座板受け（３−２及び４−２）は座板（２）を支える部分である。
各脚部板（３−３と４−１）は短脚部板（３）と長脚部板（４）を組み合わせた部位であ
る。
【００１５】
図６は各部材を分解し積み上げた斜視図を示す。
座板（２）と短脚部板（３）及び長脚部板（４）を鞄等に入れて持ち運ぶために積み上
げた状態を示す斜視図である。
【００１６】
図７は使用例で、胡坐をかいた背面からのイメージ図を示す。
背面から見える座椅子（１）は長辺部が見える状態である。
【００１７】
図８は使用例で、正座をした背面からのイメージ図を示す。  
背面から見える座椅子（１）は短辺部が見える状態である。
【符号の説明】
【００１８】
１  組み立て座椅子
２  座板
２−１  嵌め込み穴
２−２  丸み
３  短脚部板
３−１  脚部突起
３−２  座板受け
３−３  切り込み
４  長脚部板
４−１  切り込み
４−２  座板受け
【図１】
0003180730.tif 000003
【図２】
0003180730.tif 000004
【図３】
0003180730.tif 000005
【図４】
0003180730.tif 000006
【図５】
0003180730.tif 000007
【図６】
0003180730.tif 000008
【図７】
0003180730.tif 000009
【図８】
0003180730.tif 000010